(57)【要約】【課題】操作性に優れた包装体を提供すること。【解決手段】包装体１は、袋状をなし、その内側を手術室における不潔域１０ａとし、外側を手術室における清潔域１０ｂとして仕切り、不潔域１０ａに向かって医療装置２０が挿入される挿入口２１を有する袋体２と、袋体２を収納する袋状の包材３とを備えている。そして、袋体２は、包材３に収納された状態で、包材３と接合部材４ａ、４ｂにて接合されており、包材３を開封する開封操作に連動して、挿入口２１が開口して医療装置２０を挿入可能となる。【選択図】図３
2012200438.tif 000002
【特許請求の範囲】
【請求項１】
袋状をなし、その内側を手術室における不潔域とし、外側を前記手術室における清潔域として仕切り、前記不潔域に向かって医療器具が挿入される挿入口を有する袋体と、
前記袋体を収納する袋状の包材とを備え、
前記袋体は、前記包材に収納された状態で、該包材と少なくとも１つの接合部にて接合されており、前記包材を開封する開封操作に連動して、前記挿入口が開口して前記医療器具を挿入可能となることを特徴とする包装体。
【請求項２】
前記接合部は、前記挿入口の縁部付近に設けられている請求項１に記載の包装体。
【請求項３】
前記接合部は、前記不潔域を介して互いに対向する位置に２箇所配置されている請求項１または２に記載の包装体。
【請求項４】
前記袋体は、折り畳まれて、前記包材に収納されている請求項１ないし３のいずれかに記載の包装体。
【請求項５】
前記袋体は、前記挿入口からその反対側の部分を内側に向かってつづら折り状に複数折り曲げられた折り曲げ部を有する請求項１ないし４のいずれかに記載の包装体。
【請求項６】
前記袋体は、前記挿入口からその反対側の部分を外側に向かってつづら折り状に複数折り曲げられた折り曲げ部を有し、該複数の折り曲げ部のうちの最も内側に位置する折り曲げ部は、それ以外の折り曲げ部よりも前記医療器具の前記挿入口に対する挿入方向と反対方向に向かって突出している請求項１ないし４のいずれかに記載の包装体。
【請求項７】
前記接合部は、前記最も内側に位置する折り曲げ部付近に設けられているに設けられている請求項５に記載の包装体。
【請求項８】
前記袋体は、前記包材から取り出された状態で前記各折り曲げ部を伸長して用いられる請求項５ないし７のいずれかに記載の包装体。
【請求項９】
前記医療器具は、コンソールと電気的に接続されるケーブルを有するものであり、
前記袋体の前記各折り曲げ部を伸長した部分は、前記ケーブルを覆う請求項８に記載の包装体。
【請求項１０】
前記袋体は、全体として長尺状をなすものであり、その幅方向に位置する縁部を内側に折り曲げて、前記包材に収納されている請求項１ないし９のいずれかに記載の包装体。
【請求項１１】
前記接合部は、両面粘着テープで構成されている請求項１ないし１０のいずれかに記載の包装体。
【請求項１２】
前記接合部は、前記挿入口の開口の程度によって前記袋体と前記包材との接合を解除し得る脆弱部有する請求項１ないし１１のいずれかに記載の包装体。
【請求項１３】
前記包材は、２枚のシート材で構成され、該２枚のシート材の縁部同士を剥離可能に融着したものである請求項１ないし１２のいずれかに記載の包装体。
【請求項１４】
前記医療器具は、カテーテルと、該カテーテルに挿入される長尺状の医療用長尺体とを有するカテーテル組立体に接続され、該カテーテル組立体をその軸方向に沿って移動するとともに、前記医療用長尺体をその軸回りに回転する駆動源となるものである請求項１ないし１３のいずれかに記載の包装体。
【請求項１５】
前記袋体は、前記カテーテル組立体が挿入され、前記医療器具に接続される接続口を、前記挿入口とは異なる部分に有する請求項１４に記載の包装体。
【発明の詳細な説明】
【技術分野】
【０００１】
本発明は、包装体に関する。
【背景技術】
【０００２】
血管等の生体管腔内に挿入して、当該管腔内を超音波により診断するのに用いられる医療システムが知られている（例えば、特許文献１参照）。
【０００３】
特許文献１に記載の医療システムは、ルーメンを有するカテーテル本体と、カテーテル本体のルーメンに挿入され、先端部に超音波を発する超音波発振部を有するシャフトとを有するカテーテル組立体と、カテーテル組立体が接続され、カテーテル組立体を変位駆動する駆動装置とを備えている。医療システムでは、駆動装置の作動によりカテーテル内に挿入されているシャフトをその軸回りに回転させるとともに基端方向に移動させて、血管壁の超音波画像を取得することができる。また、駆動装置は、通常、滅菌袋内に収納された状態で用いられる。
【０００４】
ところで、滅菌袋は、未だ駆動装置を収納していない状態、すなわち、未使用状態では、袋状の包材に収納されている。そして、滅菌袋に駆動装置を挿入して収納するときには、まず、包材を開封する操作を行ない、次に、滅菌袋の駆動装置を挿入する挿入口を開口する操作を行なって、駆動装置を挿入していた。また、カテーテル組立体は、清潔者が取り扱わなければならず、駆動装置は、不潔者が取り扱わなければならないため、清潔者と不潔者とが交互に作業を行う必要があった。このように、特許文献１に記載の医療システムでは、滅菌袋に駆動装置を挿入して当該駆動装置が使用可能な状態となるまでに、少なくとも２つの操作、すなわち、包材開封操作と、滅菌袋の挿入口開口操作とを行なっており、さらには、清潔者と不潔者との交互の作業が必要なため、全体として使用時の操作が煩雑となり、迅速な手技を行なうことが困難であった。
【先行技術文献】
【特許文献】
【０００５】
【特許文献１】特開平１１−２４４２９０号公報
【発明の概要】
【発明が解決しようとする課題】
【０００６】
本発明の目的は、操作性に優れた包装体を提供することにある。
【課題を解決するための手段】
【０００７】
このような目的は、下記（１）〜（１５）の本発明により達成される。
（１）  袋状をなし、その内側を手術室における不潔域とし、外側を前記手術室における清潔域として仕切り、前記不潔域に向かって医療器具が挿入される挿入口を有する袋体と、
前記袋体を収納する袋状の包材とを備え、
前記袋体は、前記包材に収納された状態で、該包材と少なくとも１つの接合部にて接合されており、前記包材を開封する開封操作に連動して、前記挿入口が開口して前記医療器具を挿入可能となることを特徴とする包装体。
【０００８】
（２）  前記接合部は、前記挿入口の縁部付近に設けられている上記（１）に記載の包装体。
【０００９】
（３）  前記接合部は、前記不潔域を介して互いに対向する位置に２箇所配置されている上記（１）または（２）に記載の包装体。
【００１０】
（４）  前記袋体は、折り畳まれて、前記包材に収納されている上記（１）ないし（３）のいずれかに記載の包装体。
【００１１】
（５）  前記袋体は、前記挿入口からその反対側の部分を内側に向かってつづら折り状に複数折り曲げられた折り曲げ部を有する上記（１）ないし（４）のいずれかに記載の包装体。
【００１２】
（６）  前記袋体は、前記挿入口からその反対側の部分を外側に向かってつづら折り状に複数折り曲げられた折り曲げ部を有し、該複数の折り曲げ部のうちの最も内側に位置する折り曲げ部は、それ以外の折り曲げ部よりも前記医療器具の前記挿入口に対する挿入方向と反対方向に向かって突出している上記（１）ないし（４）のいずれかに記載の包装体。
【００１３】
（７）  前記接合部は、前記最も内側に位置する折り曲げ部付近に設けられているに設けられている上記（５）に記載の包装体。
【００１４】
（８）  前記袋体は、前記包材から取り出された状態で前記各折り曲げ部を伸長して用いられる上記（５）ないし（７）のいずれかに記載の包装体。
【００１５】
（９）  前記医療器具は、コンソールと電気的に接続されるケーブルを有するものであり、
前記袋体の前記各折り曲げ部を伸長した部分は、前記ケーブルを覆う上記（８）に記載の包装体。
【００１６】
（１０）  前記袋体は、全体として長尺状をなすものであり、その幅方向に位置する縁部を内側に折り曲げて、前記包材に収納されている上記（１）ないし（９）のいずれかに記載の包装体。
【００１７】
（１１）  前記接合部は、両面粘着テープで構成されている上記（１）ないし（１０）のいずれかに記載の包装体。
【００１８】
（１２）  前記接合部は、前記挿入口の開口の程度によって前記袋体と前記包材との接合を解除し得る脆弱部有する上記（１）ないし（１１）のいずれかに記載の包装体。
【００１９】
（１３）  前記包材は、２枚のシート材で構成され、該２枚のシート材の縁部同士を剥離可能に融着したものである上記（１）ないし（１２）のいずれかに記載の包装体。
【００２０】
（１４）  前記医療器具は、カテーテルと、該カテーテルに挿入される長尺状の医療用長尺体とを有するカテーテル組立体に接続され、該カテーテル組立体をその軸方向に沿って移動するとともに、前記医療用長尺体をその軸回りに回転する駆動源となるものである上記（１）ないし（１３）のいずれかに記載の包装体。
【００２１】
（１５）  前記袋体は、前記カテーテル組立体が挿入され、前記医療器具に接続される接続口を、前記挿入口とは異なる部分に有する上記（１４）に記載の包装体。
【発明の効果】
【００２２】
本発明によれば、包材の開封操作を行なった際に、その力が接合部を介して袋体の挿入口付近にまで伝達して、当該挿入口が、医療器具を挿入可能な程度にまで開口することとなる。このように包材に対する開封操作と、袋体の挿入口に対する開口操作とを一括して行うことができる。これにより、例えば包材開封操作と袋体の挿入口開口操作とを個別に行う場合に比べて、使用時の操作の煩雑さが低減される、すなわち、操作性に優れる。
【図面の簡単な説明】
【００２３】
【図１】本発明の包装体の使用方法を順に説明するための平面図である。
【図２】本発明の包装体の使用方法を順に説明するための平面図である。
【図３】本発明の包装体の使用方法を順に説明するための平面図である。
【図４】本発明の包装体の使用方法を順に説明するための平面図である。
【図５】本発明の包装体の使用方法を順に説明するための平面図である。
【図６】本発明の包装体の使用方法を順に説明するための平面図である。
【図７】図１中のＡ−Ａ線断面図である。
【図８】本発明の包装体（第２実施形態）の使用過程の途中を示す縦断面図である。
【図９】本発明の包装体（第３実施形態）の袋体を挿入口側から見た斜視図である。
【発明を実施するための形態】
【００２４】
以下、本発明の包装体を添付図面に示す好適な実施形態に基づいて詳細に説明する。
＜第１実施形態＞
図１〜図６は、それぞれ、本発明の包装体の使用方法を順に説明するための平面図、図７は、図１中のＡ−Ａ線断面図である。なお、以下では、説明の都合上、図１〜図７中（図８についても同様）の右側を「基端」、左側を「先端」と言う。
【００２５】
図１〜図６に示す包装体１は、医療装置（医療器具）２０を収納する袋体（ドレープ）２と、未使用状態の袋体２を収納する包材３とを備えている。以下、各部の構成について説明する。
【００２６】
まず、包装体１について説明する前に、医療装置２０について説明する。
図６に示すように、医療装置２０は、袋体２に収納された状態で、カテーテル組立体３０に接続されて、当該カテーテル組立体３０を変位駆動する駆動源である。
【００２７】
なお、カテーテル組立体３０は、カテーテル３０１と、カテーテル３０１に挿入されるドライブシャフト（医療用長尺体）３０２とで構成されている。そして、このカテーテル組立体３０は、生体管腔以下では「血管」を代表的に扱う）内に挿入されて、その内部画像である血管壁の画像を取得することができる。
【００２８】
カテーテル３０１は、チューブ状をなし、その先端部にガイドワイヤ５０が挿通される管状の挿通部３０３を有するカテーテル本体３０４と、カテーテル本体３０４の基端部に固定され、医療装置２０に接続されるコネクタ（カテーテル側コネクタ）３０５とで構成されている。
【００２９】
ドライブシャフト３０２は、長尺状をなし、例えば、その先端部に超音波振動子（図示せず）が配置され、基端部が医療装置２０に接続されるものである。そして、医療装置２０に内蔵されているスキャナで、超音波振動子から発せられる超音波が血管壁で反射した反射波に基づいて、血管壁の超音波画像を形成することができる。
【００３０】
医療装置２０は、カテーテル組立体３０が接続される接続部２０１を有している。そして、この接続状態で、医療装置２０は、カテーテル組立体３０をその軸方向に沿って移動するとともに、ドライブシャフト３０２をその軸回りに回転することができるよう構成されている。これにより、血管に対して任意の位置で、その周方向全周にわたって、超音波画像である血管内の断層面像が得られる。
【００３１】
なお、カテーテル組立体３０を変位させる構成としては、特に限定されないが、例えば、モータとリニアガイドとを有するものが挙げられる。
【００３２】
また、図６に示すように、医療装置２０は、例えば約２ｍのケーブル２０２を有している。このケーブル２０２の端部には、図示しないコンソールの接続端子４０と電気的に接続されるコネクタ（装置側コネクタ）２０３が配置されている。医療装置２０では、コネクタ２０３を接続端子４０に差し込むと、当該接続端子４０から電力が供給され、前述したようにカテーテル組立体３０を変位させることができる。
【００３３】
次に、包装体１について説明する。
前述したように、包装体１は、袋体２と包材３とを備えている。
【００３４】
袋体２は、その基端が開口した開口部である挿入口２１と、先端が閉塞した閉塞部２２とを有する、全体として長尺な袋状をなすものである。また、袋体２の先端部は、その幅が先端方向に向かって漸減している。
【００３５】
この袋体２は、折り畳まれた折畳み状態（図１〜図４に示す状態）で包材３に収納され、包材３から取り出されて展開した展開状態（図５、図６に示す状態）で使用される。このように折畳み状態で袋体２が包材３に収納されていることにより、未使用状態の包装体１が小型化のものとなり、よって、当該包装体１を容易に持ち運ぶことができる。
【００３６】
また、袋体２は、滅菌されており、その内側を手術室における不潔域１０ａとし、外側を手術室における清潔域１０ｂとして仕切ることができる。この不潔域１０ａとなる、袋体２の内部空間には、挿入口２１から医療装置２０を挿入することができる。また、清潔域１０ｂとなる、袋体２の外側からは、滅菌されているカテーテル組立体３０を医療装置２０に向けて接続することができる。
【００３７】
袋体２の長手方向の途中、すなわち、挿入口２１と閉塞部２２との間の部分には、接続口２３が設けられている。図６に示すように、接続口２３には、袋体２に挿入された医療装置２０のコネクタ２０３が位置する。そして、接続口２３を介して、カテーテル組立体３０の基端部を挿入することができ、当該基端部を医療装置２０のコネクタ２０３に確実に接続することができる。なお、接続口２３の平面視での形状は、図示の構成では円形であるが、これに限定されず、例えば、楕円形、多角形等であってもよい。また、接続口２３には、カテーテル組立体３０と医療装置２０との接続を補助するアダプタが装着されていてもよい。
【００３８】
図７に示すように、袋体２は、挿入口２１から先端側（その反対側）の接続口２３に至る前の部分が蛇腹状に折り畳まれている、すなわち、外側に向かってつづら折り状に複数回折り曲げられている。これにより、袋体２の折畳み状態での全長を、展開状態での全長よりも短くすることができ、包装体１の小型化に寄与する。
【００３９】
そして、前記折り曲げられた複数（図７に示す構成では４つ）の折り曲げ部２４１、２４２、２４３、２４４のうち、最も内側に位置する折り曲げ部２４１は、それ以外の折り曲げ部２４２〜２４４のよりも基端方向、すなわち、医療装置２０の挿入口２１に対する挿入方向と反対方向に向かって突出している。この突出した折り曲げ部２４１を介して外側の部分２５１と内側の部分２５２のうちの外側の部分２５１は、後述する接合部材（接合部）４ａ、４ｂが配されて、袋体２と包材３とを接合する「接合代」となる。
【００４０】
また、図５、図６に示すように、袋体２が包材３から取り出された状態では、各折り曲げ部２４１〜２４４は、一括して伸長される。これにより、袋体２が展開することとなり、各折り曲げ部２４１〜２４４を伸長した部分で、非滅菌状態の医療装置２０のケーブル２０２を覆うこととができ、よって、不潔域１０ａと清潔域１０ｂとを確実に仕切ることができる。
【００４１】
袋体２の構成材料としては、それぞれ、特に限定されず、例えば、ポリエステル、ポリエチレン、ポリプロピレン、ポリアミド（ナイロン）、ポリスチレン、ポリ塩化ビニル、アクリル系樹脂、あるいはこれらを複合した材料が挙げられる。また、袋体２では、その内部の視認性を確保するために、全体が透明性を有している。
【００４２】
図１に示すように、包材３は、袋体２を収納する袋状のものである。この包材３は、平面視で、折畳み状態の袋体２の面積よりも大きい、すなわち、折畳み状態の袋体２を包含する２枚のシート材３１、３２で構成されている。シート材３１、３２は、それぞれ、平面視での形状が四角形状をなす。
【００４３】
シート材３１の構成材料としては、それぞれ、特に限定されず、例えば、ポリエステル、ポリエチレン、ポリプロピレン、ポリアミド（ナイロン）、ポリスチレン、ポリ塩化ビニル、アクリル系樹脂、あるいはこれらを複合した材料が挙げられる。また、シート材３１では、その内部の視認性を確保するために、全体が透明性を有している。
【００４４】
一方、シート材３２は、空気は通過するがゴミ、塵、埃等の異物は通過できず、さらに、細菌が発生しない、菌不透過性を有する材料で構成されている。これにより、袋体２を収納した包材３を滅菌処理した際に、シート材３２により、滅菌のための気体の流通性が確保され、袋体２に対する滅菌を良好に行なうことができる。なお、このようなシート材３２は、織布（布地）、不織布、紙類、メッシュ、発泡体やその他の多孔質体等で構成することができる。
【００４５】
また、シート材３１の縁部３１１と、シート材３２の縁部３２１とは、融着（熱融着、高周波融着、超音波融着等）されている。これにより、シート材３１とシート材３２とで画成された空間内に袋体２を収納することができる。
【００４６】
なお、シート材３１の縁部３１１とシート材３２の縁部３２１とは、融着されてはいるが、その融着の程度は、シート材３１とシート材３２とを互いに反対方向に引張れば、剥離可能な程度である。シート材３１とシート材３２と剥離することにより、包材３の開封操作が行われる（図２〜図４参照）。
【００４７】
図７（図１〜図３についても同様）に示すように、包材３に収納された状態の袋体２と、包材３とは、接合部材４ａ、４ｂにて接合されている。接合部材４ａ、４ｂは、それぞれ、本実施形態では両面粘着テープで構成されている。これにより、接合部材４ａ、４ｂがそれぞれ簡単な構成のものとなるとともに、袋体２と包材３とを確実に接合することができる。なお、両面粘着テープでの粘着剤（粘着性組成物）としては、ゴム系粘着剤、アクリル系粘着剤、シリコーン系粘着剤等いずれのものでもよい。
【００４８】
また、図７に示すように、接合部材４ａと接合部材４ｂとは、前述した袋体２の外側の部分２５１（接合代）に、不潔域１０ａを介して互いに対向する位置に配置されている。
【００４９】
そして、図２、図３に示すように、前述したように包材３のシート材３１とシート材３２と互いに反対方向に引張って包材３の開封操作を行なった際に、その引張り力は、接合部材４ａを介して袋体２の外側の部分２５１（挿入口２１付近）にまで伝達するとともに、接合部材４ｂを介しても袋体２の外側の部分２５１にまで伝達する。これにより、袋体２の挿入口２１が医療装置２０を挿入可能な程度にまで確実に開口することとなる。その後、図４に示すように、袋体２の挿入口２１が十分に開口した状態を維持したまま、当該挿入口２１に医療装置２０を容易に挿入することができる。
【００５０】
このように包装体１では、包材３に対する開封操作と、袋体２の挿入口２１に対する開口操作とを一括して行うことができる。これにより、例えば包材開封操作と、袋体挿入口開口操作とを個別に行う場合に比べて、使用時の操作の煩雑さが低減される、すなわち、操作性に優れる。
【００５１】
また、図２、図３に示すように、接合部材４ａ、４ｂには、それぞれ、袋体２の幅方向に沿ってミシン目４１が形成されている。各ミシン目４１は、それぞれ、袋体２と包材３との接合を解除し得る脆弱部としての機能を有する。これにより、図４に示すように、包材３の開封操作が進行して袋体２の挿入口２１がさらに開口していくに従って、各ミシン目４１では、それぞれ、前記引張り力により破断限界を越えて、破断する。これにより、接合部材４ａ、４ｂがそれぞれミシン目４１で２つに分割されて、袋体２と包材３とを確実に分離することができる。包材３は、開封操作を行なった後には、例えば医療装置２０とカテーテル組立体３０とを接続する接続操作の邪魔となり、不用なものとなるが、袋体２と分離されるため、それ自体のみを廃棄することができる。
【００５２】
次に、包装体１の使用方法について説明する。
［１］  まず、図１に示す未使用状態（初期状態）の包装体１を用意する。
【００５３】
［２］  次に、図２に示すように、不潔域１０ａへの進入を許可された操作者（図示せず（以下この操作者を「第１操作者」と言う））は、包材３のシート材３１、３２をそれぞれ把持して、これらシート材３１、３２同士を剥離し、包材３の開封操作を行なう。このとき、前述したように、袋体２は、開封操作に連動して、挿入口２１が開口して医療装置２０を挿入可能となる。なお、この開封操作は、接合部材４ａ、４ｂがそれぞれミシン目４１で破断しない位置で一旦停止する。
【００５４】
［３］  次に、第１操作者は、図３に示すように、袋体２の挿入口２１を医療装置２０が挿入可能な程度にまで開口した状態を維持したまま、当該挿入口２１に向けて医療装置２０を挿入する。
【００５５】
［４］  次に、第１操作者は、図４に示すように、医療装置２０が袋体２内に挿入された後に、開封操作を再開する。これにより、前述したように、接合部材４ａ、４ｂがそれぞれミシン目４１で破断して、袋体２と包材３とが分離する。この分離した包材３は、破棄に供される。
【００５６】
［５］  次に、第１操作者は、図５に示すように、袋体２の挿入口２１付近を把持して、そのまま基端方向へ引張る。これにより、袋体２は、前述したように伸長して展開状態となり、医療装置２０をケーブル２０２まで覆うことができる。
【００５７】
［６］  次に、第１操作者は、袋体２の先端側を、清潔域１０ｂへの進入を許可された操作者（図示せず（以下この操作者を「第２操作者」と言う））に向ける。また、医療装置２０のケーブル２０２にあるコネクタ２０３を接続端子４０に差し込む。
【００５８】
そして、第２操作者は、カテーテル組立体３０を把持して、その基端部を袋体２の接続口２３に挿入する。これにより、カテーテル組立体３０の基端部と医療装置２０の接続部２０１とが接続され、超音波画像を取得することができる。
【００５９】
このように、包装体１では、第２操作者がカテーテル組立体３０を医療装置２０に接続する以前の操作までを、１人の第１操作者で行なうことができる。これにより、例えば２人の操作者で交互に各操作を行なう場合よりも、準備の時間が短縮される。
【００６０】
＜第２実施形態＞
図８は、本発明の包装体（第２実施形態）の使用過程の途中を示す縦断面図である。
【００６１】
以下、この図を参照して本発明の包装体の第２実施形態について説明するが、前述した実施形態との相違点を中心に説明し、同様の事項はその説明を省略する。
【００６２】
本実施形態は、袋体の形状と接合部の配置箇所とが異なること以外は前記第１実施形態と同様である。
【００６３】
図８に示す包装体１では、袋体２は、挿入口２１から先端側の接続口２３に至る前の部分が、内側に向かってつづら折り状に複数回折り曲げられている。これにより、袋体２の折畳み状態での全長を、展開状態での全長よりも短くすることができ、包装体１の小型化に寄与する。
【００６４】
また、袋体２の挿入口２１直近（縁部付近）は、前記折り曲げられた複数（図８に示す構成では４つ）の折り曲げ部２４１、２４２、２４３、２４４よりも基端方向に向かって突出している。この突出した部分２６に、接合部材４ａ、４ｂが不潔域１０ａを介して互いに対向する位置に配置されている。
【００６５】
そして、前述したように、包材３のシート材３１とシート材３２と互いに反対方向に引張って包材３の開封操作を行なった際に、その引張り力は、接合部材４ａを介して袋体２の前記突出した部分２６にまで伝達するとともに、接合部材４ｂを介しても袋体２の前記突出した部分２６にまで伝達する。これにより、袋体２の挿入口２１が医療装置２０を挿入可能な程度にまで確実に開口することとなり、その後の医療装置２０の挿入操作を容易に行なうことができる。このように、本実施形態の包装体１も、操作性に優れたものとなっている。
【００６６】
＜第３実施形態＞
図９は、本発明の包装体（第３実施形態）の袋体を挿入口側から見た斜視図である。
【００６７】
以下、この図を参照して本発明の包装体の第３実施形態について説明するが、前述した実施形態との相違点を中心に説明し、同様の事項はその説明を省略する。
本実施形態は、袋体の形状が異なること以外は前記第１実施形態と同様である。
【００６８】
図９に示す長尺状をなす袋体２は、その幅方向に位置する２つの縁部２７をそれぞれ全長にわたって内側に折り曲げた折畳み状態で包材３に収納される。これにより、袋体２の折畳み状態での幅を、展開状態での幅よりも小さくすることができ、包装体１の小型化に寄与する。
【００６９】
以上、本発明の包装体を図示の実施形態について説明したが、本発明は、これに限定されるものではなく、包装体を構成する各部は、同様の機能を発揮し得る任意の構成のものと置換することができる。また、任意の構成物が付加されていてもよい。
【００７０】
また、本発明の包装体は、前記各実施形態のうちの、任意の２以上の構成（特徴）を組み合わせたものであってもよい。
【００７１】
また、本発明は、上述した実施形態に限定されるものではなく、特許請求の範囲の範囲内で種々改変できる。例えば、上記実施の形態では、超音波カテーテルを利用して診断する場合について説明したが、他の診断用カテーテルに適用することもできる。例えば、光干渉トモグラフィー（ＯＣＴ）を利用した診断用カテーテルに適用することができる。従って、検査波として、超音波だけでなく、光、磁場、音等の検出のために適用可能なあらゆるものを適用できる。
【００７２】
また、袋体と包材とを接合する接合部の配置数は、前記各実施形態では２箇所であるが、これに限定されず、例えば、１箇所または３箇所以上であってもよい。
【００７３】
また、袋体と包材とを接合する接合部は、前記各実施形態では両面粘着テープからなるものが、これに限定されず、例えば、融着（熱融着、高周波融着、超音波融着等）された融着部からなるものであってもよいし、接着（接着剤や溶媒による接着）された接着部からなるものであってもよい。
【００７４】
また、袋体の折り曲げ部の形成数は、図７に示す構成では４つであるが、これに限定されず、例えば、２つ、３つまたは５つ以上であってもよい。
【符号の説明】
【００７５】
１            包装体
２            袋体（ドレープ）
２１          挿入口
２２          閉塞部
２３          接続口
２４１、２４２、２４３、２４４  折り曲げ部
２５１        外側の部分
２５２        内側の部分
２６          突出した部分
２７          縁部
３            包材
３１          シート材
３１１        縁部
３２          シート材
３２１        縁部
４ａ、４ｂ    接合部材（接合部）
４１          ミシン目
１０ａ        不潔域
１０ｂ        清潔域
２０          医療装置（医療器具）
２０１        接続部
２０２        ケーブル
２０３        コネクタ（装置側コネクタ）
３０          カテーテル組立体
３０１        カテーテル
３０２        ドライブシャフト（医療用長尺体）
３０３        挿通部
３０４        カテーテル本体
３０５        コネクタ（カテーテル側コネクタ）
４０          接続端子
５０          ガイドワイヤ
【図１】
2012200438.tif 000003
【図２】
2012200438.tif 000004
【図３】
2012200438.tif 000005
【図４】
2012200438.tif 000006
【図５】
2012200438.tif 000007
【図６】
2012200438.tif 000008
【図７】
2012200438.tif 000009
【図８】
2012200438.tif 000010
【図９】
2012200438.tif 000011